(57)【要約】【課題】効率を考慮しながら連動制御を行うことができる連動制御装置、連動制御システム及び連動制御方法を提供する。【解決手段】  連動制御装置３０は、複数の機器６１，・・・，７０に対してネットワーク１０経由で連動制御を行う連動制御装置であって、連動元入力部３３と、連動条件入力部３４と、第１記憶部３７とを備える。連動元入力部３３には、連動元識別情報が入力される。連動元識別情報は、連動制御における連動元となる機器を識別するための情報である。連動条件入力部３４には、連動条件が入力される。連動条件は、複数の機器に対して連動制御が行われる条件である。第１記憶部３７は、第１対応付け情報４１を記憶する。第１対応付け情報４１は、連動元識別情報と連動条件とが対応づけられた情報である。連動条件は、連動元となる機器の発停台数及び発停割合のいずれかに関する条件を含む。【選択図】図１
2007110212.tif 000002
【特許請求の範囲】
【請求項１】
複数の機器（６１，・・・，７０，１８１，・・・，１６１，・・・）に対してネットワーク（１０）経由で連動制御を行う連動制御装置（３０）であって、
前記連動制御における連動元となる前記機器（６１，・・・，１８１，・・・）を識別するための情報である連動元識別情報が入力される連動元入力部（３３）と、
前記複数の前記機器（６１，・・・，７０，１８１，・・・，１６１，・・・）に対して前記連動制御が行われる条件である連動条件が入力される連動条件入力部（３４）と、
前記連動元識別情報と前記連動条件とが対応づけられた情報である第１対応付け情報を記憶する第１記憶部（３７，１３７）と、
を備え、
前記連動条件は、前記連動元となる前記機器（６１，・・・，１８１，・・・）の発停台数及び発停割合のいずれかに関する条件を含む、
連動制御装置（３０）。
【請求項２】
前記連動制御における連動先となる前記機器（７０，１６１，・・・）を識別するための情報である連動先識別情報が入力される連動先入力部（３５）と、
前記連動制御における前記連動先の動作である連動動作が入力される連動動作入力部（３５）と、
前記連動先識別情報と前記連動動作とが対応づけられた情報である第２対応付け情報を記憶する第２記憶部（３８，１３８）と、
前記連動元識別情報と前記連動先識別情報とが対応づけられた情報である第３対応付け情報を記憶する第３記憶部（３９，１３９）と、
前記第１対応付け情報に基づいて前記連動条件が成立したと判断する場合に、前記第２対応付け情報及び前記第３対応付け情報に基づいて前記連動先に前記連動動作を行わせる制御部（３２，１３２）と、
をさらに備えた、
請求項１に記載の連動制御装置（３０）。
【請求項３】
前記連動元となる前記機器（６１，・・・）は、空調機器を含み、
前記連動先となる前記機器（７０）は、換気機器を含み、
前記制御部（３２，１３２）は、前記空調機器の稼働台数及び稼働割合のいずれかが第１閾値以上であると判断する場合、前記換気機器を停止させる、
請求項２に記載の連動制御装置（３０）。
【請求項４】
前記連動元となる前記機器（１８１，・・・）は、照明機器を含み、
前記連動先となる前記機器（１６１，・・・）は、空調機器を含み、
前記制御部（３２，１３２）は、前記照明機器の稼働台数及び稼働割合のいずれかが第２閾値以下であると判断する場合、前記空調機器の能力を制限する、
請求項２に記載の連動制御装置（３０）。
【請求項５】
請求項２から４のいずれか１項に記載の連動制御装置（３０）と、
前記連動制御装置（３０）と前記連動元と前記連動先とを接続するネットワーク（１０）と、
を備えた、
連動制御システム。
【請求項６】
複数の機器（６１，・・・，７０，１８１，・・・，１６１，・・・）に対してネットワーク（１０）経由で連動制御が行われる連動制御方法であって、
前記連動制御における連動元となる前記機器（６１，・・・，１８１，・・・）を識別するための情報である連動元識別情報が入力される第１ステップと、
前記複数の前記機器（６１，・・・，７０，１８１，・・・，１６１，・・・）に対して前記連動制御が行われる条件である連動条件が入力される第２ステップと、
を備え、
前記連動条件は、前記連動元となる前記機器（６１，・・・，１８１，・・・）の発停台数及び発停割合のいずれかに関する条件を含む、
連動制御方法。
【発明の詳細な説明】
【技術分野】
【０００１】
本発明は、連動制御装置、連動制御システム及び連動制御方法に関する。
【背景技術】
【０００２】
従来から、複数の機器に対してネットワーク経由で連動制御を行う連動制御装置が提案されている（例えば、特許文献１参照）。
【特許文献１】特開２００５−１１０１６８（第１−２９頁、第１−２１図）
【発明の開示】
【発明が解決しようとする課題】
【０００３】
しかし、特許文献１の技術では、連動制御における連動元の発停状態に関する条件に合致した場合に連動先の動作が制御されている。これにより、連動制御の自由度が限定されており、効率を考慮しながら連動制御を行うことが困難な傾向にある。
本発明の課題は、効率を考慮しながら連動制御を行うことができる連動制御装置、連動制御システム及び連動制御方法を提供することにある。
【課題を解決するための手段】
【０００４】
第１発明に係る連動制御装置は、複数の機器に対してネットワーク経由で連動制御を行う連動制御装置であって、連動元入力部と、連動条件入力部と、第１記憶部とを備える。連動元入力部には、連動元識別情報が入力される。連動元識別情報は、連動制御における連動元となる機器を識別するための情報である。連動条件入力部には、連動条件が入力される。連動条件は、複数の機器に対して連動制御が行われる条件である。第１記憶部は、第１対応付け情報を記憶する。第１対応付け情報は、連動元識別情報と連動条件とが対応づけられた情報である。連動条件は、連動元となる機器の発停台数及び発停割合のいずれかに関する条件を含む。
【０００５】
この連動制御装置では、連動元入力部に、連動元識別情報が入力される。第１記憶部は、連動元識別情報を受け取ることができる。連動条件入力部に、連動条件が入力される。連動条件は、連動元となる機器の発停台数及び発停割合のいずれかに関する条件を含む。第１記憶部は、連動条件の情報を受け取ることができる。第１記憶部は、第１対応付け情報を記憶する。第１対応付け情報は、連動元識別情報と連動条件とが対応づけられた情報である。この第１対応付け情報に基づいて、連動元となる機器の発停台数及び発停割合のいずれかに関して連動条件が成立したか否かを判断することができる。
【０００６】
これにより、例えば、連動元となる機器の稼働台数（稼働割合）が多い場合、連動先となる機器を停止して、連動元となる機器の稼動効率を向上することができる。あるいは、例えば、連動元となる機器の稼働台数（稼働割合）が少ない場合、連動先となる機器の能力を制限して、エネルギー消費効率を向上する（省エネを図る）ことができる。
このように、効率を考慮しながら連動制御を行うことができる。
【０００７】
第２発明に係る連動制御装置は、第１発明の連動制御装置であって、連動先入力部と、連動動作入力部と、第２記憶部と、第３記憶部と、制御部とをさらに備える。連動先入力部には、連動先識別情報が入力される。連動先識別情報は、連動制御における連動先となる機器を識別するための情報である。連動動作入力部には、連動動作が入力される。連動動作は、連動制御における連動先の動作である。第２記憶部は、第２対応付け情報を記憶する。第２対応付け情報は、連動先識別情報と連動動作とが対応づけられた情報である。第３記憶部は、第３対応付け情報を記憶する。第３対応付け情報は、連動元識別情報と連動先識別情報とが対応づけられた情報である。制御部は、第１対応付け情報に基づいて連動条件が成立したと判断する場合に、第２対応付け情報に基づいて連動先に連動動作を行わせる。
【０００８】
この連動制御装置では、制御部は、第１対応付け情報を受け取ることができる。制御部は、第１対応付け情報に基づいて、連動条件が成立したか否かを判断することができる。また、連動先入力部に、連動先識別情報が入力される。第２記憶部は、連動先識別情報を受け取ることができる。連動動作入力部に、連動動作が入力される。第２記憶部は、連動動作の情報を受け取ることができる。第２記憶部は、第２対応付け情報を記憶する。第２対応付け情報は、連動先識別情報と連動動作とが対応づけられた情報である。第３記憶部は、連動先識別情報を受け取ることができる。第３記憶部は、連動元識別情報も受け取ることができる。第３記憶部は、第３対応付け情報を記憶する。第３対応付け情報は、連動元識別情報と連動先識別情報とが対応づけられた情報である。制御部は、第２対応付け情報及び第３対応付け情報をさらに受け取ることができる。制御部は、第１対応付け情報に基づいて連動条件が成立したと判断する場合に、第２対応付け情報及び第３対応付け情報に基づいて連動先に連動動作を行わせる。
【０００９】
これにより、例えば、連動元となる機器の稼働台数（稼働割合）が多い場合、連動先となる機器を停止して、連動元となる機器の稼動効率を向上することができる。あるいは、例えば、連動元となる機器の稼働台数（稼働割合）が少ない場合、連動先となる機器の能力を制限して、エネルギー消費効率を向上する（省エネを図る）ことができる。
このように、効率を考慮しながら連動制御を行うことができる。
【００１０】
第３発明に係る連動制御装置は、第２発明の連動制御装置であって、連動元となる機器は、空調機器を含む。連動先となる機器は、換気機器を含む。制御部は、空調機器の稼働台数及び稼働割合のいずれかが第１閾値以上であると判断する場合、換気機器を停止させる。
この連動制御装置では、連動元となる機器は、空調機器を含む。これにより、連動条件に、空調機器の発停台数及び発停割合のいずれかに関する条件が含まれるようにすることができる。また、連動先となる機器は、換気機器を含む。これにより、連動動作に、換気機器の発停動作が含まれるようにすることができる。
【００１１】
制御部は、ネットワーク経由で空調機器から発停状態の情報を受け取ることができる。制御部は、空調機器の稼働台数及び稼働割合のいずれかを演算することができる。制御部は、空調機器の稼働台数及び稼働割合のいずれかが第１閾値以上であると判断する場合、換気機器を停止させる。
このように、空調機器の稼働台数及び稼働割合のいずれかが第１閾値以上であると判断され、空調機器の設定温度と対象空間の温度との格差が大きいと推定される場合に、空調機器の空調効率を向上することができる。
【００１２】
第４発明に係る連動制御装置は、第２発明の連動制御装置であって、連動元となる機器は、照明機器を含む。連動先となる機器は、空調機器を含む。制御部は、照明機器の稼働台数及び稼働割合のいずれかが第２閾値以下であると判断する場合、空調機器の能力を制限する。
この連動制御装置では、連動元となる機器は、照明機器を含む。これにより、連動条件に、照明機器の発停台数及び発停割合のいずれかに関する条件が含まれるようにすることができる。また、連動先となる機器は、空調機器を含む。これにより、連動動作に、空調機器の能力を制限することが含まれるようにすることができる。
【００１３】
制御部は、ネットワーク経由で照明機器から発停状態の情報を受け取ることができる。制御部は、照明機器の稼働台数及び稼働割合のいずれかを演算することができる。制御部は、照明機器の稼働台数及び稼働割合のいずれかが第２閾値以下であると判断する場合、空調機器の能力を制限する。
このように、照明機器の稼働台数及び稼働割合のいずれかが第２閾値以下であると判断され、対象空間に存在する人数が少ないと推定される場合に、エネルギー消費効率を向上する（省エネを図る）ことができる。
【００１４】
第５発明に係る連動制御システムは、第２発明から第４発明の連動制御装置と、ネットワークとを備える。ネットワークは、連動制御装置と連動元と連動先とを接続する。
この連動制御システムでは、ネットワークは、連動制御装置と連動元と連動先とを接続する。連動制御装置は、ネットワーク経由で連動元から情報を受け取り、連動条件が成立したと判断する場合に、ネットワーク経由で連動先に連動動作を行わせることができる。
【００１５】
これにより、例えば、連動元となる機器の稼働台数（稼働割合）が多い場合、連動先となる機器をネットワーク経由で停止して、連動元となる機器の稼動効率を向上することができる。あるいは、例えば、連動元となる機器の稼働台数（稼働割合）が少ない場合、連動先となる機器の能力をネットワーク経由で制限して、エネルギー消費効率を向上する（省エネを図る）ことができる。
このように、効率を考慮しながら連動制御を行うことができる。
【００１６】
第６発明に係る連動制御方法は、複数の機器に対してネットワーク経由で連動制御が行われる連動制御方法であって、第１ステップと、第２ステップとを備える。第１ステップでは、連動元識別情報が入力される。連動元識別情報は、連動制御における連動元となる機器を識別するための情報である。第２ステップでは、連動条件が入力される。連動条件は、複数の機器に対して連動制御が行われる条件である。連動条件は、連動元となる機器の発停台数及び発停割合のいずれかに関する条件を含む。
【００１７】
この連動制御方法では、第１ステップにおいて、連動元識別情報が入力される。第２ステップにおいて、連動条件が入力される。連動条件は、連動元となる機器の発停台数及び発停割合のいずれかに関する条件を含む。これにより、例えば、連動元となる機器の稼働台数及び稼働割合のいずれかが多い場合、連動先となる機器を停止して、連動元となる機器の稼動効率を向上することができる。あるいは、例えば、連動元となる機器の稼働台数及び稼働割合のいずれかが少ない場合、連動先となる機器の能力を制限して、エネルギー消費効率を向上する（省エネを図る）ことができる。
【００１８】
このように、効率を考慮しながら連動制御を行うことができる。
【発明の効果】
【００１９】
第１発明に係る連動制御装置では、効率を考慮しながら連動制御を行うことができる。
第２発明に係る連動制御装置では、効率を考慮しながら連動制御を行うことができる。
第３発明に係る連動制御装置では、空調機器の稼働台数及び稼働割合のいずれかが第１閾値以上であると判断され、空調機器の設定温度と対象空間の温度との格差が大きいと推定される場合に、空調機器の空調効率を向上することができる。
【００２０】
第４発明に係る連動制御装置では、照明機器の稼働台数及び稼働割合のいずれかが第２閾値以下であると判断され、対象空間に存在する人数が少ないと推定される場合に、エネルギー消費効率を向上する（省エネを図る）ことができる。
第５発明に係る連動制御システムでは、効率を考慮しながら連動制御を行うことができる。
【００２１】
第６発明に係る連動制御方法では、効率を考慮しながら連動制御を行うことができる。
【発明を実施するための最良の形態】
【００２２】
＜第１実施形態＞
本発明の第１実施形態に係る連動制御システムの構成図を図１に示す。
（連動制御システムの概略構成）
連動制御システム１は、主として、連動制御装置３０，ネットワーク１０，室内機群６０（６１，６２，・・・）及びベンティエール７０を備える。
連動制御装置３０と室内機群６０（６１，６２，・・・）とは、ネットワーク１０で接続されている。連動制御装置３０とベンティエール７０とも、ネットワーク１０で接続されている。
【００２３】
（連動制御システムの概略動作）
連動制御装置３０は、ネットワーク１０を介して室内機群６０（６１，６２，・・・）から情報を受信する。連動制御装置３０は、その情報を受信し必要に応じて記憶する。
連動制御装置３０は、必要な情報をネットワーク１０経由でベンティエール７０へ送信する。
【００２４】
（室内機群の詳細構成）
室内機群６０（６１，６２，・・・）は、空調システムの室内機６１，室内機６２，室内機６３，室内機６４，・・・を有する。室内機群６０の各室内機６１，・・・は、ネットワーク１０を介して互いに接続されているとともに、ネットワーク１０を介して連動制御装置３０へも接続されている。
なお、室内機群６０の各室内機６１，・・・は、ネットワーク１０を介して室外機（図示せず）にも接続されている。
【００２５】
（室内機群の詳細動作）
室内機群６０の各室内機６１，・・・は、リモコンなどからの命令により発停される。そして、室内機群６０の各室内機６１，・・・は、識別情報と発停状態の情報とをネットワーク１０経由で連動制御装置３０へ送信する。ここで、識別情報は、室内機６１，・・・を識別する情報である。
【００２６】
（連動制御装置の詳細構成）
連動制御装置３０は、図２に示すように、主として、送受信部３１，制御部３２，連動元入力部３３，連動条件入力部３４，連動先入力部３５，連動動作入力部３６，第１記憶部３７，第２記憶部３８及び第３記憶部３９を備える。
送受信部３１は、ネットワーク１０に接続されており、制御部３２にも接続されている。連動元入力部３３，連動条件入力部３４，連動先入力部３５，連動動作入力部３６，第１記憶部３７，第２記憶部３８及び第３記憶部３９は、制御部３２に接続されている。
【００２７】
（連動制御装置の詳細動作）
連動元入力部３３には、連動元識別情報が入力される。ここで、連動元識別情報は、連動制御における連動元となる機器を識別するための情報である。第１記憶部３７は、連動元識別情報を制御部３２経由で連動元入力部３３から受け取る。連動条件入力部３４には、連動条件が、連動元識別情報に関連づけて入力される。連動条件は、複数の機器に対して連動制御が行われる条件であり、連動元となる機器の発停台数に関する条件を含む。第１記憶部３７は、連動条件の情報を制御部３２経由で連動条件入力部３４から受け取る。第１記憶部３７は、第１対応付け情報４１を記憶する。第１対応付け情報４１は、連動元識別情報と連動条件とが対応づけられた情報である（図３参照）。
【００２８】
連動先入力部３５には、連動先識別情報が、連動元識別情報と関連づけて入力される。ここで、連動先識別情報は、連動制御における連動先となる機器を識別するための情報である。第２記憶部３８は、連動先識別情報を制御部３２経由で連動先入力部３５から受け取る。連動動作入力部３６には、連動動作が、連動先識別情報と関連づけて入力される。ここで、連動動作は、連動制御における連動先の動作である。第２記憶部３８は、連動動作の情報を制御部３２経由で連動動作入力部３６から受け取る。第２記憶部３８は、第２対応付け情報４２を記憶する。第２対応付け情報４２は、連動先識別情報と連動動作とが対応づけられた情報である（図４参照）。
【００２９】
第３記憶部３９は、連動元識別情報を制御部３２経由で連動元入力部３３から受け取り、連動先識別情報を制御部３２経由で連動先入力部３５から受け取る。第３記憶部３９は、第３対応付け情報４３を記憶する。第３対応付け情報４３は、連動元識別情報と連動先識別情報とが対応づけられた情報である（図５参照）。
送受信部３１は、識別情報と発停状態の情報とをネットワーク１０経由で室内機群６０（６１，６２，・・・）から受信する。制御部３２は、識別情報と発停状態の情報とを送受信部３１から受け取り、識別情報と発停状態の情報とに基づいて室内機６１，・・・の稼働台数を演算する。また、制御部３２は、第１対応付け情報４１を制御部３２経由で第１記憶部３７から受け取る。制御部３２は、室内機６１，・・・の稼働台数の情報と第１対応付け情報４１とに基づいて、連動条件が成立したか否かを判断する。
【００３０】
制御部３２は、第２対応付け情報４２を第２記憶部３８から受け取り、第３対応付け情報４３を第３記憶部３９から受け取る。制御部３２は、識別情報と発停状態の情報と第１対応付け情報４１とに基づいて連動条件が成立したと判断する場合に、第２対応付け情報４２及び第３対応付け情報４３に基づいて、連動先に連動動作を行わせるための命令を生成する。送受信部３１は、その命令の情報を、連動先であるベンティエール７０へネットワーク１０経由で送信する。
【００３１】
（ベンティエールの詳細構成）
ベンティエール７０は、換気機器である。すなわち、ベンティエール７０は、室内と室外との間を開閉して、換気したり換気を停止したりする。
また、ベンティエール７０は、ネットワーク１０を介して連動制御装置３０へ接続されている。
【００３２】
（ベンティエールの詳細動作）
ベンティエール７０は、連動先に連動動作を行わせるための命令の情報を、ネットワーク１０経由で連動制御装置３０から受信する。ベンティエール７０は、その命令に基づき、室内と室外との間を開閉して、換気したり換気を停止したりする。
（第１対応付け情報の詳細構成）
第１対応付け情報４１は、連動元識別情報と連動条件とが対応付けられた情報である。第１対応付け情報４１は、図３に示すように、主として、連動元識別情報欄４１１及び連動条件欄４１２を備える。連動元識別情報に対応するのが連動元識別情報欄４１１であり、連動条件に対応するのが連動条件欄４１２である。
【００３３】
連動元識別情報欄４１１には、連動元識別情報が記録されている。連動元識別情報は、連動制御における連動元となる機器を識別するための情報である。連動条件欄４１２には、連動条件が記録されている。連動条件は、複数の機器に対して連動制御が行われる条件であり、連動元となる機器の発停台数に関する条件を含む。
第１対応付け情報４１を参照することにより、どの連動元に対してどのような連動条件が適用されるかが分かる。具体的には、連動元識別情報欄４１１と連動条件欄４１２とを参照することにより、室内機６１，・・・に対する連動条件が分かる。
【００３４】
例えば、「室内機６１」、「室内機６２」、「室内機６３」及び「室内機６４」に対する連動条件が「２台以上がＯＮ」であることが分かる。
すなわち、連動元識別情報欄４１１と連動条件欄４１２とを参照することにより、室内機群６０の各室内機６１，・・・の稼働台数の情報に基づいて、連動条件が成立するか否かを判断することができるようになっている。
【００３５】
（第２対応付け情報の詳細構成）
第２対応付け情報４２は、連動先識別情報と連動動作とが対応付けられた情報である。第２対応付け情報４２は、図４に示すように、主として、連動先識別情報欄４２１及び連動動作欄４２２を備える。連動先識別情報に対応するのが連動先識別情報欄４２１であり、連動動作に対応するのが連動動作欄４２２である。
【００３６】
連動先識別情報欄４２１には、連動先識別情報が記録されている。連動先識別情報は、連動制御における連動先となる機器を識別するための情報である。連動動作欄４２２には、連動動作が記録されている。連動動作は、連動制御における連動先の動作である。
第２対応付け情報４２を参照することにより、どの連動先に対してどのような連動動作が適用されるかが分かる。具体的には、連動先識別情報欄４２１と連動動作欄４２２とを参照することにより、室内機６１，・・・に対する連動動作が分かる。
【００３７】
例えば、「ベンティエール７０」に対する連動動作が「停止」であることが分かる。
すなわち、連動先識別情報欄４２１と連動動作欄４２２とを参照することにより、連動条件が成立すると判断される場合に行われる連動動作が特定される。
（第３対応付け情報の詳細構成）
第３対応付け情報４３は、連動元識別情報と連動先識別情報とが対応付けられた情報である。第３対応付け情報４３は、図５に示すように、主として、連動元識別情報欄４３１及び連動先識別情報欄４３２を備える。連動元識別情報に対応するのが連動元識別情報欄４３１であり、連動先識別情報に対応するのが連動先識別情報欄４３２である。
【００３８】
連動元識別情報欄４３１には、連動元識別情報が記録されている。連動先識別情報欄４３２には、連動先識別情報が記録されている。
第３対応付け情報４３を参照することにより、どの連動元に対してどの連動先が連動制御されるかが分かる。具体的には、連動元識別情報欄４３１と連動先識別情報欄４３２とを参照することにより、室内機６１，・・・に対する連動先が分かる。
【００３９】
例えば、「室内機６１」、「室内機６２」、「室内機６３」及び「室内機６４」に対する連動先が「ベンティエール７０」であることが分かる。
すなわち、連動元識別情報欄４３１と連動先識別情報欄４３２とを参照することにより、連動条件が成立すると判断される場合の連動先が特定される。
（連動制御システムが複数の機器に対してネットワーク経由で連動制御を行う処理の流れ）
連動制御システムが複数の機器に対してネットワーク経由で連動制御を行う処理の流れを、図６に示すフローチャートを用いて説明する。
【００４０】
ステップＳ１では、連動元識別情報が入力される。すなわち、連動制御装置３０の連動元入力部３３には、連動元識別情報が入力される。ここで、連動元識別情報は、連動制御における連動元となる機器を識別するための情報である。第１記憶部３７は、連動元識別情報を制御部３２経由で連動元入力部３３から受け取る。
ステップＳ２では、連動条件が入力される。すなわち、連動制御装置３０の連動条件入力部３４には、連動条件が、連動元識別情報に関連づけて入力される。連動条件は、複数の機器に対して連動制御が行われる条件であり、連動元となる機器の発停台数に関する条件を含む。第１記憶部３７は、連動条件の情報を制御部３２経由で連動条件入力部３４から受け取る。第１記憶部３７は、第１対応付け情報４１を記憶する。第１対応付け情報は、連動元識別情報と連動条件とが対応づけられた情報である（図３参照）。
【００４１】
ステップＳ３では、連動先識別情報が入力される。すなわち、連動制御装置３０の連動先入力部３５には、連動先識別情報が、連動元識別情報と関連づけて入力される。ここで、連動先識別情報は、連動制御における連動先となる機器を識別するための情報である。第２記憶部３８は、連動先識別情報を制御部３２経由で連動先入力部３５から受け取る。
ステップＳ４では、連動動作が入力される。すなわち、連動制御装置３０の連動動作入力部３６には、連動動作が、連動先識別情報と関連づけて入力される。ここで、連動動作は、連動制御における連動先の動作である。第２記憶部３８は、連動動作の情報を制御部３２経由で連動動作入力部３６から受け取る。第２記憶部３８は、第２対応付け情報４２を記憶する。第２対応付け情報４２は、連動先識別情報と連動動作とが対応づけられた情報である（図４参照）。
【００４２】
第３記憶部３９は、連動元識別情報を制御部３２経由で連動元入力部３３から受け取り、連動先識別情報を制御部３２経由で連動先入力部３５から受け取る。第３記憶部３９は、第３対応付け情報４３を記憶する。第３対応付け情報４３は、連動元識別情報と連動先識別情報とが対応づけられた情報である（図５参照）。
ステップＳ５では、連動条件が成立するか否かが判断される。すなわち、室内機群６０の各室内機６１，・・・は、リモコンなどからの命令により発停される。そして、室内機群６０の各室内機６１，・・・は、識別情報と発停状態の情報とをネットワーク１０経由で連動制御装置３０へ送信する。ここで、識別情報は、室内機６１，・・・を識別する情報である。
【００４３】
連動制御装置３０の送受信部３１は、識別情報と発停状態の情報とをネットワーク１０経由で室内機群６０（６１，６２，・・・）から受信する。制御部３２は、識別情報と発停状態の情報とを送受信部３１から受け取り、識別情報と発停状態の情報とに基づいて稼働台数を演算する。また、制御部３２は、第１対応付け情報４１を制御部３２経由で第１記憶部３７から受け取る。制御部３２は、識別情報と発停状態の情報と第１対応付け情報４１とに基づいて、連動条件が成立したか否かを判断する。すなわち、連動元識別情報欄４１１と連動条件欄４１２とが参照されることにより、室内機群６０の各室内機６１，・・・の稼働台数の情報に基づいて、室内機６１，・・・の稼働台数が第１閾値（例えば、２台）以上であるか否かが判断される。
【００４４】
連動条件が成立したと判断された場合、ステップＳ６へ進められ、連動条件が成立していないと判断された場合、ステップＳ５へ進められる。
ステップＳ６では、連動動作が行われる。すなわち、連動制御装置３０の制御部３２は、第２対応付け情報４２を制御部３２経由で第２記憶部３８から受け取り、第３対応付け情報４３を制御部３２経由で第３記憶部３９から受け取る。制御部３２は、第２対応付け情報４２及び第３対応付け情報４３に基づいて、連動先に連動動作を行わせるための命令を生成する。すなわち、連動先識別情報欄４２１と連動動作欄４２２とを参照することにより、連動条件が成立すると判断される場合に行われる連動動作が特定される。また、連動元識別情報欄４３１と連動先識別情報欄４３２とを参照することにより、連動条件が成立すると判断される場合の連動先が特定される。そして、特定された連動先に対して連動動作を行わせるような命令の情報が生成される。送受信部３１は、その命令の情報を、連動先であるベンティエール７０へネットワーク１０経由で送信する。
【００４５】
ベンティエール７０は、連動先に連動動作を行わせるための命令の情報を、ネットワーク１０経由で連動制御装置３０から受信する。ベンティエール７０は、その命令に基づき、室内と室外との間を開閉して、換気したり換気を停止したりする。
（連動制御システムに関する特徴）
（１）
ここでは、連動制御装置３０の連動元入力部３３に、連動元識別情報が入力される。第１記憶部３７は、連動元識別情報を制御部３２経由で連動元入力部３３から受け取る。連動条件入力部３４に、連動条件が入力される。連動条件は、連動元となる機器の発停台数に関する条件を含む。第１記憶部３７は、連動条件の情報を制御部３２経由で連動条件入力部３４から受け取る。第１記憶部３７は、第１対応付け情報４１を記憶する。第１対応付け情報４１は、連動元識別情報と連動条件とが対応づけられた情報である（図３参照）。この第１対応付け情報４１に基づいて、連動条件が成立したか否かが判断することができる。制御部３２は、第１対応付け情報４１を第１記憶部３７から受け取る。制御部３２は、第１対応付け情報４１に基づいて、連動元となる機器の発停台数に関して連動条件が成立したか否かを判断する。
【００４６】
また、連動先入力部３５に、連動先識別情報が入力される。第２記憶部３８は、連動先識別情報を制御部３２経由で連動先入力部３５から受け取る。連動動作入力部３６に、連動動作が入力される。第２記憶部３８は、連動動作の情報を制御部３２経由で連動動作入力部３６から受け取る。第２記憶部３８は、第２対応付け情報４２を記憶する。第２対応付け情報４２は、連動先識別情報と連動動作とが対応づけられた情報である（図４参照）。
【００４７】
第３記憶部３９は、連動元識別情報を制御部３２経由で連動元入力部３３から受け取る。第３記憶部３９は、連動先識別情報を制御部３２経由で連動先入力部３５から受け取る。第３記憶部３９は、第３対応付け情報４３を記憶する。第３対応付け情報４３は、連動元識別情報と連動先識別情報とが対応づけられた情報である（図５参照）。制御部３２は、第２対応付け情報４２及び第３対応付け情報４３をさらに受け取る。制御部３２は、第１対応付け情報４１に基づいて連動条件が成立したと判断する場合に、第２対応付け情報４２及び第３対応付け情報４３に基づいて連動先に連動動作を行わせる。
これにより、連動元となる機器の稼働台数が多い場合、連動先となる機器を停止でき、連動元となる機器の稼動効率を向上することができるようになっている。このため、効率を考慮しながら連動制御を行うことができるようになっている。
【００４８】
（２）
ここでは、連動元となる機器は、空調システムの室内機６１，・・・を含む。これにより、連動条件に、室内機６１，・・・の発停台数に関する条件が含まれる。また、連動先となる機器は、ベンティエール７０を含む。これにより、連動動作に、ベンティエール７０の発停動作が含まれる。
【００４９】
制御部３２は、ネットワーク１０経由で室内機６１，・・・から発停状態の情報を受け取る。制御部３２は、室内機６１，・・・の稼働台数を演算する。制御部３２は、室内機６１，・・・の稼働台数が第１閾値以上であると判断する場合、ベンティエール７０を停止させる。ここで、第１閾値は、例えば、２台である。
このように、室内機６１，・・・の稼働台数が第１閾値以上であると判断され、室内機６１，・・・の設定温度と室内の温度との格差が大きいと推定される場合に、室内機６１，・・・の空調効率は向上する。
【００５０】
（第１実施形態の変形例）
連動条件は、連動元となる機器の発停台数に関する条件を含む代わりに、連動元となる機器の発停割合に関する条件を含んでいても良い。すなわち、連動制御装置３０の第１記憶部３７に記憶された第１対応付け情報４１の連動条件欄４１２には、連動元となる機器の発停割合に関する条件が記録されていても良く、例えば、「５０％以上がＯＮ」が記録されていても良い。このとき、制御部３２は、室内機６１，・・・の稼働割合を演算することになる。また、制御部３２は、室内機６１，・・・の稼働割合が第１閾値（例えば、５０％）以上であると判断する場合、ベンティエール７０を停止させることになる。
【００５１】
＜第２実施形態＞
本発明の第２実施形態に係る連動制御システムの構成図を図７に示す。
連動制御システム１００は、基本的な構成が第１実施形態と同様であるが、連動制御装置３０の代わりに連動制御装置１３０を備える点と、室内機群６０（６１，６２，・・・）の代わりに照明群１８０（１８１，１８２，・・・）を備える点と、ベンティエール７０の代わりに室内機群１６０（１６１，１６２，・・・）を備える点とで、第１実施形態と異なる。
【００５２】
（連動制御装置の詳細構成）
連動制御装置１３０は、図８に示すように、制御部３２の代わりに制御部１３２を備え、第１記憶部３７の代わりに第１記憶部１３７を備え、第２記憶部３８の代わりに第２記憶部１３８を備え、第３記憶部３９の代わりに第３記憶部１３９を備える。
他の点は第１実施形態と同様である。
【００５３】
（連動制御装置の詳細動作）
第１記憶部１３７は、第１対応付け情報１４１を記憶する。第１対応付け情報１４１は、連動元識別情報と連動条件とが対応づけられた情報である（図９参照）。
第２記憶部１３８は、第２対応付け情報１４２を記憶する。第２対応付け情報１４２は、連動先識別情報と連動動作とが対応づけられた情報である（図１０参照）。
【００５４】
第３記憶部１３９は、第３対応付け情報１４３を記憶する。第３対応付け情報１４３は、連動元識別情報と連動先識別情報とが対応づけられた情報である（図１１参照）。
送受信部３１は、識別情報と発停状態の情報とをネットワーク１０経由で照明群１８０（１８１，１８２，・・・）から受信する。制御部１３２は、識別情報と発停状態の情報とを送受信部３１から受け取り、照明１８１，・・・の稼働台数を演算する。
【００５５】
制御部１３２は、第２対応付け情報１４２を第２記憶部１３８から受け取り、第３対応付け情報１４３を第３記憶部１３９から受け取る。制御部１３２は、照明１８１，・・・の稼働台数の情報と第１対応付け情報１４１とに基づいて連動条件が成立したと判断する場合、すなわち照明１８１，・・・の稼働台数が第２閾値（例えば、２台）以下であると判断する場合に、第２対応付け情報１４２及び第３対応付け情報１４３に基づいて、連動先に連動動作を行わせるための命令を生成する。送受信部３１は、その命令の情報を、連動先である室内機群１６０（１６１，１６２，・・・）へネットワーク１０経由で送信する。
【００５６】
（連動制御システムに関する特徴）
第１対応付け情報１４１に基づいて連動条件が成立したと判断する場合に、制御部１３２が、第２対応付け情報１４２及び第３対応付け情報１４３に基づいて連動先に連動動作を行わせる点は、第１実施形態と同様である。これにより、連動元となる機器の稼働台数が少ない場合、連動先となる機器の能力を制限することができ、エネルギー消費効率を向上する（省エネを図る）ことができるようになっている。したがって、このような連動制御システム１００によっても、効率を考慮しながら連動制御を行うことができるようになっている。
【００５７】
また、連動元となる機器は、照明１８１，・・・を含む。これにより、連動条件に、照明１８１，・・・の発停台数に関する条件が含まれる。また、連動先となる機器は、空調システムの室内機１６１，・・・を含む。これにより、連動動作に、空調システムの室内機１６１，・・・の能力を制限することが含まれる。
連動制御装置１３０の制御部１３２は、ネットワーク１０経由で照明１８１，・・・から発停状態の情報を受け取る。制御部１３２は、照明１８１，・・・の稼働台数を演算する。制御部１３２は、照明１８１，・・・の稼働台数が第２閾値以下であると判断する場合、空調システムの室内機１６１，・・・の能力を制限する。ここで、第２閾値は、例えば、２台である。
【００５８】
このように、照明１８１，・・・の稼働台数が第２閾値以下であると判断され、室内に存在する人数が少ないと推定される場合に、エネルギー消費効率は向上する（省エネが図られる）。
【産業上の利用可能性】
【００５９】
本発明に係る連動制御装置、連動制御システム及び連動制御方法は、効率を考慮しながら連動制御を行うことができるという効果を有し、連動制御装置、連動制御システム及び連動制御方法等として有用である。
【図面の簡単な説明】
【００６０】
【図１】本発明の第１実施形態に係る連動制御システムの構成図。
【図２】本発明の第１実施形態における連動制御装置の構成図。
【図３】第１対応付け情報の構成を示す図。
【図４】第２対応付け情報の構成を示す図。
【図５】第３対応付け情報の構成を示す図。
【図６】連動制御システムが複数の機器に対してネットワーク経由で連動制御を行う処理の流れを示すフローチャート。
【図７】本発明の第２実施形態に係る連動制御システムの構成図。
【図８】本発明の第２実施形態における連動制御装置の構成図。
【図９】第１対応付け情報の構成を示す図。
【図１０】第２対応付け情報の構成を示す図。
【図１１】第３対応付け情報の構成を示す図。
【符号の説明】
【００６１】
１，１００  連動制御システム
１０  ネットワーク
３０  連動制御装置
３２，１３２  制御部
３３  連動元入力部
３４  連動条件入力部
３５  連動先入力部
３６  連動動作入力部
３７，１３７  第１記憶部
３８，１３８  第２記憶部
３９，１３９  第３記憶部
６１等  室内機
７０  ベンティエール
１６１等  室内機
１８１等  照明
【図１】
2007110212.tif 000003
【図２】
2007110212.tif 000004
【図３】
2007110212.tif 000005
【図４】
2007110212.tif 000006
【図５】
2007110212.tif 000007
【図６】
2007110212.tif 000008
【図７】
2007110212.tif 000009
【図８】
2007110212.tif 000010
【図９】
2007110212.tif 000011
【図１０】
2007110212.tif 000012
【図１１】
2007110212.tif 000013
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
複数の機器（６１，・・・，７０，１８１，・・・，１６１，・・・）に対してネットワーク（１０）経由で連動制御を行う連動制御装置（３０）であって、
前記連動制御における連動元となる前記機器（６１，・・・，１８１，・・・）を識別するための情報である連動元識別情報が入力される連動元入力部（３３）と、
前記複数の前記機器（６１，・・・，７０，１８１，・・・，１６１，・・・）に対して前記連動制御が行われる条件である連動条件が入力される連動条件入力部（３４）と、
前記連動元識別情報と前記連動条件とが対応づけられた情報である第１対応付け情報を記憶する第１記憶部（３７，１３７）と、
を備え、
前記連動条件は、前記連動元となる前記機器（６１，・・・，１８１，・・・）の発停台数及び発停割合のいずれかに関する条件を含み、
前記連動制御における連動先となる前記機器（７０，１６１，・・・）を識別するための情報である連動先識別情報が入力される連動先入力部（３５）と、
前記連動制御における前記連動先の動作である連動動作が入力される連動動作入力部（３６）と、
前記連動先識別情報と前記連動動作とが対応づけられた情報である第２対応付け情報を記憶する第２記憶部（３８，１３８）と、
前記連動元識別情報と前記連動先識別情報とが対応づけられた情報である第３対応付け情報を記憶する第３記憶部（３９，１３９）と、
前記第１対応付け情報に基づいて前記連動条件が成立したと判断する場合に、前記第２対応付け情報及び前記第３対応付け情報に基づいて前記連動先に前記連動動作を行わせる制御部（３２，１３２）と、
をさらに備えており、
前記連動元となる前記機器（６１，・・・）は、空調機器を含み、
前記連動先となる前記機器（７０）は、換気機器を含み、
前記制御部（３２，１３２）は、前記空調機器の稼働台数及び稼働割合のいずれかが第１閾値以上であると判断する場合、前記換気機器を停止させる、
連動制御装置（３０）。
【請求項２】
複数の機器（６１，・・・，７０，１８１，・・・，１６１，・・・）に対してネットワーク（１０）経由で連動制御を行う連動制御装置（３０）であって、
前記連動制御における連動元となる前記機器（６１，・・・，１８１，・・・）を識別するための情報である連動元識別情報が入力される連動元入力部（３３）と、
前記複数の前記機器（６１，・・・，７０，１８１，・・・，１６１，・・・）に対して前記連動制御が行われる条件である連動条件が入力される連動条件入力部（３４）と、
前記連動元識別情報と前記連動条件とが対応づけられた情報である第１対応付け情報を記憶する第１記憶部（３７，１３７）と、
を備え、
前記連動条件は、前記連動元となる前記機器（６１，・・・，１８１，・・・）の発停台数及び発停割合のいずれかに関する条件を含み、
前記連動制御における連動先となる前記機器（７０，１６１，・・・）を識別するための情報である連動先識別情報が入力される連動先入力部（３５）と、
前記連動制御における前記連動先の動作である連動動作が入力される連動動作入力部（３６）と、
前記連動先識別情報と前記連動動作とが対応づけられた情報である第２対応付け情報を記憶する第２記憶部（３８，１３８）と、
前記連動元識別情報と前記連動先識別情報とが対応づけられた情報である第３対応付け情報を記憶する第３記憶部（３９，１３９）と、
前記第１対応付け情報に基づいて前記連動条件が成立したと判断する場合に、前記第２対応付け情報及び前記第３対応付け情報に基づいて前記連動先に前記連動動作を行わせる制御部（３２，１３２）と、
をさらに備えており、
前記連動元となる前記機器（１８１，・・・）は、照明機器を含み、
前記連動先となる前記機器（１６１，・・・）は、空調機器を含み、
前記制御部（３２，１３２）は、前記照明機器の稼働台数及び稼働割合のいずれかが第２閾値以下であると判断する場合、前記空調機器の能力を制限する、
連動制御装置（３０）。
【請求項３】
前記連動元となる前記機器（１８１，・・・）は、照明機器をさらに含み、
前記連動先となる前記機器（１６１，・・・）は、空調機器をさらに含み、
前記制御部（３２，１３２）は、さらに、前記照明機器の稼働台数及び稼働割合のいずれかが第２閾値以下であると判断する場合、前記空調機器の能力を制限する、
請求項１に記載の連動制御装置（３０）。
【請求項４】
前記空調機器は、リモコンの命令によって発停され、
前記制御部（３２，１３２）は、前記リモコンの操作に応じて発停する前記空調機器の稼働台数及び稼働割合のいずれかが第１閾値以上であると判断する場合、前記換気機器を停止させる、
請求項１または３に記載の連動制御装置（３０）。
【請求項５】
前記連動元となる前記機器（６１，・・・）は、複数の空調機器を含み、
前記連動先となる前記機器（７０）は、１台の換気機器を含み、
前記制御部（３２，１３２）は、複数の前記空調機器の稼働台数及び稼働割合のいずれかが第１閾値以上であると判断する場合、１台の前記換気機器を停止させる、
請求項１または３に記載の連動制御装置（３０）。
【請求項６】
請求項１から５のいずれか１項に記載の連動制御装置（３０）と、
前記連動制御装置（３０）と前記連動元と前記連動先とを接続するネットワーク（１０）と、
を備えた、
連動制御システム。
【手続補正２】
【補正対象書類名】明細書
【補正対象項目名】０００４
【補正方法】変更
【補正の内容】
【０００４】
第１発明に係る連動制御装置は、複数の機器に対してネットワーク経由で連動制御を行う連動制御装置であって、連動元入力部と、連動条件入力部と、第１記憶部とを備える。連動元入力部には、連動元識別情報が入力される。連動元識別情報は、連動制御における連動元となる機器を識別するための情報である。連動条件入力部には、連動条件が入力される。連動条件は、複数の機器に対して連動制御が行われる条件である。第１記憶部は、第１対応付け情報を記憶する。第１対応付け情報は、連動元識別情報と連動条件とが対応づけられた情報である。連動条件は、連動元となる機器の発停台数及び発停割合のいずれかに関する条件を含む。
また、連動制御装置は、連動先入力部と、連動動作入力部と、第２記憶部と、第３記憶部と、制御部とをさらに備える。連動先入力部には、連動先識別情報が入力される。連動先識別情報は、連動制御における連動先となる機器を識別するための情報である。連動動作入力部には、連動動作が入力される。連動動作は、連動制御における連動先の動作である。第２記憶部は、第２対応付け情報を記憶する。第２対応付け情報は、連動先識別情報と連動動作とが対応づけられた情報である。第３記憶部は、第３対応付け情報を記憶する。第３対応付け情報は、連動元識別情報と連動先識別情報とが対応づけられた情報である。制御部は、第１対応付け情報に基づいて連動条件が成立したと判断する場合に、第２対応付け情報に基づいて連動先に連動動作を行わせる。
さらに、連動制御装置では、連動元となる機器は、空調機器を含む。連動先となる機器は、換気機器を含む。制御部は、空調機器の稼働台数及び稼働割合のいずれかが第１閾値以上であると判断する場合、換気機器を停止させる。
【手続補正３】
【補正対象書類名】明細書
【補正対象項目名】０００６
【補正方法】変更
【補正の内容】
【０００６】
これにより、例えば、連動元となる機器の稼働台数（稼働割合）が多い場合、連動先となる機器を停止して、連動元となる機器の稼動効率を向上することができる。あるいは、例えば、連動元となる機器の稼働台数（稼働割合）が少ない場合、連動先となる機器の能力を制限して、エネルギー消費効率を向上する（省エネを図る）ことができる。
このように、効率を考慮しながら連動制御を行うことができる。
また、この連動制御装置では、制御部は、第１対応付け情報を受け取ることができる。制御部は、第１対応付け情報に基づいて、連動条件が成立したか否かを判断することができる。また、連動先入力部に、連動先識別情報が入力される。第２記憶部は、連動先識別情報を受け取ることができる。連動動作入力部に、連動動作が入力される。第２記憶部は、連動動作の情報を受け取ることができる。第２記憶部は、第２対応付け情報を記憶する。第２対応付け情報は、連動先識別情報と連動動作とが対応づけられた情報である。第３記憶部は、連動先識別情報を受け取ることができる。第３記憶部は、連動元識別情報も受け取ることができる。第３記憶部は、第３対応付け情報を記憶する。第３対応付け情報は、連動元識別情報と連動先識別情報とが対応づけられた情報である。制御部は、第２対応付け情報及び第３対応付け情報をさらに受け取ることができる。制御部は、第１対応付け情報に基づいて連動条件が成立したと判断する場合に、第２対応付け情報及び第３対応付け情報に基づいて連動先に連動動作を行わせる。
これにより、例えば、連動元となる機器の稼働台数（稼働割合）が多い場合、連動先となる機器を停止して、連動元となる機器の稼動効率を向上することができる。あるいは、例えば、連動元となる機器の稼働台数（稼働割合）が少ない場合、連動先となる機器の能力を制限して、エネルギー消費効率を向上する（省エネを図る）ことができる。
このように、効率を考慮しながら連動制御を行うことができる。
さらに、この連動制御装置では、連動元となる機器は、空調機器を含む。これにより、連動条件に、空調機器の発停台数及び発停割合のいずれかに関する条件が含まれるようにすることができる。また、連動先となる機器は、換気機器を含む。これにより、連動動作に、換気機器の発停動作が含まれるようにすることができる。
制御部は、ネットワーク経由で空調機器から発停状態の情報を受け取ることができる。制御部は、空調機器の稼働台数及び稼働割合のいずれかを演算することができる。制御部は、空調機器の稼働台数及び稼働割合のいずれかが第１閾値以上であると判断する場合、換気機器を停止させる。
このように、空調機器の稼働台数及び稼働割合のいずれかが第１閾値以上であると判断され、空調機器の設定温度と対象空間の温度との格差が大きいと推定される場合に、空調機器の空調効率を向上することができる。
【手続補正４】
【補正対象書類名】明細書
【補正対象項目名】０００７
【補正方法】変更
【補正の内容】
【０００７】
第２発明に係る連動制御装置は、複数の機器に対してネットワーク経由で連動制御を行う連動制御装置であって、連動元入力部と、連動条件入力部と、第１記憶部とを備える。連動元入力部には、連動元識別情報が入力される。連動元識別情報は、連動制御における連動元となる機器を識別するための情報である。連動条件入力部には、連動条件が入力される。連動条件は、複数の機器に対して連動制御が行われる条件である。第１記憶部は、第１対応付け情報を記憶する。第１対応付け情報は、連動元識別情報と連動条件とが対応づけられた情報である。連動条件は、連動元となる機器の発停台数及び発停割合のいずれかに関する条件を含む。
また、連動制御装置は、連動先入力部と、連動動作入力部と、第２記憶部と、第３記憶部と、制御部とをさらに備える。連動先入力部には、連動先識別情報が入力される。連動先識別情報は、連動制御における連動先となる機器を識別するための情報である。連動動作入力部には、連動動作が入力される。連動動作は、連動制御における連動先の動作である。第２記憶部は、第２対応付け情報を記憶する。第２対応付け情報は、連動先識別情報と連動動作とが対応づけられた情報である。第３記憶部は、第３対応付け情報を記憶する。第３対応付け情報は、連動元識別情報と連動先識別情報とが対応づけられた情報である。制御部は、第１対応付け情報に基づいて連動条件が成立したと判断する場合に、第２対応付け情報に基づいて連動先に連動動作を行わせる。
さらに、連動元となる機器は、照明機器を含む。連動先となる機器は、空調機器を含む。制御部は、照明機器の稼働台数及び稼働割合のいずれかが第２閾値以下であると判断する場合、空調機器の能力を制限する。
【手続補正５】
【補正対象書類名】明細書
【補正対象項目名】０００８
【補正方法】変更
【補正の内容】
【０００８】
この連動制御装置では、連動元入力部に、連動元識別情報が入力される。第１記憶部は、連動元識別情報を受け取ることができる。連動条件入力部に、連動条件が入力される。連動条件は、連動元となる機器の発停台数及び発停割合のいずれかに関する条件を含む。第１記憶部は、連動条件の情報を受け取ることができる。第１記憶部は、第１対応付け情報を記憶する。第１対応付け情報は、連動元識別情報と連動条件とが対応づけられた情報である。この第１対応付け情報に基づいて、連動元となる機器の発停台数及び発停割合のいずれかに関して連動条件が成立したか否かを判断することができる。
これにより、例えば、連動元となる機器の稼働台数（稼働割合）が多い場合、連動先となる機器を停止して、連動元となる機器の稼動効率を向上することができる。あるいは、例えば、連動元となる機器の稼働台数（稼働割合）が少ない場合、連動先となる機器の能力を制限して、エネルギー消費効率を向上する（省エネを図る）ことができる。
このように、効率を考慮しながら連動制御を行うことができる。
また、この連動制御装置では、制御部は、第１対応付け情報を受け取ることができる。制御部は、第１対応付け情報に基づいて、連動条件が成立したか否かを判断することができる。また、連動先入力部に、連動先識別情報が入力される。第２記憶部は、連動先識別情報を受け取ることができる。連動動作入力部に、連動動作が入力される。第２記憶部は、連動動作の情報を受け取ることができる。第２記憶部は、第２対応付け情報を記憶する。第２対応付け情報は、連動先識別情報と連動動作とが対応づけられた情報である。第３記憶部は、連動先識別情報を受け取ることができる。第３記憶部は、連動元識別情報も受け取ることができる。第３記憶部は、第３対応付け情報を記憶する。第３対応付け情報は、連動元識別情報と連動先識別情報とが対応づけられた情報である。制御部は、第２対応付け情報及び第３対応付け情報をさらに受け取ることができる。制御部は、第１対応付け情報に基づいて連動条件が成立したと判断する場合に、第２対応付け情報及び第３対応付け情報に基づいて連動先に連動動作を行わせる。
【手続補正６】
【補正対象書類名】明細書
【補正対象項目名】０００９
【補正方法】変更
【補正の内容】
【０００９】
これにより、例えば、連動元となる機器の稼働台数（稼働割合）が多い場合、連動先となる機器を停止して、連動元となる機器の稼動効率を向上することができる。あるいは、例えば、連動元となる機器の稼働台数（稼働割合）が少ない場合、連動先となる機器の能力を制限して、エネルギー消費効率を向上する（省エネを図る）ことができる。
このように、効率を考慮しながら連動制御を行うことができる。
さらに、この連動制御装置では、連動元となる機器は、照明機器を含む。これにより、連動条件に、照明機器の発停台数及び発停割合のいずれかに関する条件が含まれるようにすることができる。また、連動先となる機器は、空調機器を含む。これにより、連動動作に、空調機器の能力を制限することが含まれるようにすることができる。
制御部は、ネットワーク経由で照明機器から発停状態の情報を受け取ることができる。制御部は、照明機器の稼働台数及び稼働割合のいずれかを演算することができる。制御部は、照明機器の稼働台数及び稼働割合のいずれかが第２閾値以下であると判断する場合、空調機器の能力を制限する。
このように、照明機器の稼働台数及び稼働割合のいずれかが第２閾値以下であると判断され、対象空間に存在する人数が少ないと推定される場合に、エネルギー消費効率を向上する（省エネを図る）ことができる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
第３発明に係る連動制御装置は、第１発明の連動制御装置であって、連動元となる機器は、照明機器をさらに含む。連動先となる機器は、空調機器をさらに含む。制御部は、照明機器の稼働台数及び稼働割合のいずれかが第２閾値以下であると判断する場合、空調機器の能力を制限する。
この連動制御装置では、連動元となる機器は、照明機器をさらに含む。これにより、連動条件に、照明機器の発停台数及び発停割合のいずれかに関する条件が含まれるようにすることができる。また、連動先となる機器は、空調機器をさらに含む。これにより、連動動作に、空調機器の能力を制限することがさらに含まれるようにすることができる。
【手続補正１０】
【補正対象書類名】明細書
【補正対象項目名】００１３
【補正方法】変更
【補正の内容】
【００１３】
制御部は、ネットワーク経由で照明機器から発停状態の情報をさらに受け取ることができる。制御部は、照明機器の稼働台数及び稼働割合のいずれかを演算することができる。制御部は、照明機器の稼働台数及び稼働割合のいずれかが第２閾値以下であると判断する場合、空調機器の能力を制限する。
このように、照明機器の稼働台数及び稼働割合のいずれかが第２閾値以下であると判断され、対象空間に存在する人数が少ないと推定される場合に、エネルギー消費効率を向上する（省エネを図る）ことができる。
第４発明に係る連動制御装置は、第１発明または第３発明の連動制御装置であって、空調機器は、リモコンの命令によって発停される。制御部は、リモコンの操作に応じて発停する空調機器の稼働台数及び稼働割合のいずれかが第１閾値以上であると判断する場合、換気機器を停止させる。
ここでは、空調機器がリモコンの命令によって発停される場合に、制御部は、リモコンの操作に応じて発停する空調機器の稼働台数及び稼働割合のいずれかが第１閾値以上であると判断する場合、換気機器を停止させることが可能である。
第５発明に係る連動制御装置は、第１発明または第３発明の連動制御装置であって、連動元となる機器は、複数の空調機器を含む。連動先となる機器は、１台の換気機器を含む。制御部は、複数の空調機器の稼働台数及び稼働割合のいずれかが第１閾値以上であると判断する場合、１台の換気機器を停止させる。
ここでは、制御部は、複数の空調機器の稼働台数及び稼働割合のいずれかが第１閾値以上であると判断する場合、１台の換気機器を停止させることが可能である。
【手続補正１１】
【補正対象書類名】明細書
【補正対象項目名】００１４
【補正方法】変更
【補正の内容】
【００１４】
第６発明に係る連動制御システムは、第１発明から第５発明の連動制御装置と、ネットワークとを備える。ネットワークは、連動制御装置と連動元と連動先とを接続する。
この連動制御システムでは、ネットワークは、連動制御装置と連動元と連動先とを接続する。連動制御装置は、ネットワーク経由で連動元から情報を受け取り、連動条件が成立したと判断する場合に、ネットワーク経由で連動先に連動動作を行わせることができる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１９
【補正方法】変更
【補正の内容】
【００１９】
第１発明に係る連動制御装置では、効率を考慮しながら連動制御を行うことができる。また、空調機器の稼働台数及び稼働割合のいずれかが第１閾値以上であると判断され、空調機器の設定温度と対象空間の温度との格差が大きいと推定される場合に、空調機器の空調効率を向上することができる。
第２発明に係る連動制御装置では、効率を考慮しながら連動制御を行うことができる。また、照明機器の稼働台数及び稼働割合のいずれかが第２閾値以下であると判断され、対象空間に存在する人数が少ないと推定される場合に、エネルギー消費効率を向上する（省エネを図る）ことができる。
第３発明に係る連動制御装置では、空調機器の稼働台数及び稼働割合のいずれかが第１閾値以上であると判断され、空調機器の設定温度と対象空間の温度との格差が大きいと推定される場合に、空調機器の空調効率を向上することができる。さらに、照明機器の稼働台数及び稼働割合のいずれかが第２閾値以下であると判断され、対象空間に存在する人数が少ないと推定される場合に、エネルギー消費効率を向上する（省エネを図る）ことができる。
【手続補正１５】
【補正対象書類名】明細書
【補正対象項目名】００２０
【補正方法】変更
【補正の内容】
【００２０】
第４発明に係る連動制御装置では、リモコンの操作に応じて発停する空調機器の稼働台数及び稼働割合のいずれかが第１閾値以上であると判断する場合、換気機器を停止させることが可能である。
第５発明に係る連動制御装置では、複数の空調機器の稼働台数及び稼働割合のいずれかが第１閾値以上であると判断する場合、１台の換気機器を停止させることが可能である。
第６発明に係る連動制御システムでは、効率を考慮しながら連動制御を行うことができる。
【手続補正１６】
【補正対象書類名】明細書
【補正対象項目名】００２１
【補正方法】削除
【補正の内容】